(57)【特許請求の範囲】
【請求項１】
容器を保持する箱体と、前記箱体の開口を閉じる開閉可能な蓋体と、を備えた容器ホルダーであって、
前記箱体の外側面に設けられた凹部と、
前記蓋体の両端部から延出した軸板と、
前記軸板から内側へ向かって突設され、前記箱体の外側から前記凹部に回動可能に係合する係合突起と、
を備え、
前記係合突起が、前記軸板に所定の間隔を置いて設けられた２つのピンであって、
前記凹部は屈曲されてく字状とされ、屈曲部から閉止された蓋体の自由端側の上方へ延びる第１ガイド部と、前記屈曲部から閉止された蓋体の自由端側の下方へ延びる第２ガイド部と、を備え、
前記蓋体が閉止状態のとき、前記第１ガイド部の終端へ一方のピンが係合して、前記屈曲部へ他方のピンが係合しており、
前記蓋体を所定角度回転させると、前記一方のピンを中心に前記他方のピンが前記屈曲部から前記第２ガイド部へ移動し、
さらに前記蓋体を回転させると、前記一方のピンが前記第１ガイド部に沿って前記屈曲部へ移動すると共に、前記他方のピンが前記第２ガイド部に沿って第２ガイド部の終端へ移動して前記蓋体を前記箱体の背面に収めることを特徴とする容器ホルダー。
【請求項２】
前記軸板を押圧して前記蓋体を回転させるモーメントを発生させる付勢手段と、
前記第２ガイド部に設けられ、前記他方のピンが頂部を乗り越えると前記付勢手段によって発生するモーメントの向きを変える変曲部と、
を有することを特徴とする請求項１に記載の容器ホルダー。
【請求項３】
前記付勢手段が、トーションバネであって、
前記トーションバネの一端部が前記箱体の外側面に固定され、他端部が前記軸板に形成された被係止部に係止されることを特徴とする請求項２に記載の容器ホルダー。
【請求項４】
前記軸板と前記係合突起とが一体成形されたことを特徴とする請求項１〜３の何れか１項に記載の容器ホルダー。
【請求項５】
前記蓋体の裏面に回動可能に取り付けられ、倒したときに前記箱体に保持された容器の側面を支持する押え板と、
起立して頂部を乗り越えた前記押え板を前記蓋体の裏面に当接した状態で固定する収納突起と、
を有することを特徴とする請求項１〜４の何れか１項に記載の容器ホルダー。
【発明の詳細な説明】
【０００１】
【発明の属する技術分野】
本発明は、容器を保持する箱体に対して、箱体の開口を閉じる蓋体が開閉可能に取り付けられた容器ホルダーに関するものである。
【０００２】
【従来の技術】
自動車のセンターコンソールに設けられた容器ホルダーは、図８に示すように、本体１０６と蓋体１００とで構成されている。蓋体１００の両側には、一対の軸支部１００Ａが設けられており、軸支部１００Ａには所定間隔を置いて金属シャフト１０２、１０４がそれぞれ固着されている。
【０００３】
一方、本体１０６には、容器を保持するための保持部１０８が設けられており、蓋体１００が保持部１０８を開閉可能となっている。また、本体１０６の内側面には、ガイド孔１１０（窪みの場合又は貫通する場合）が設けられており、金属シャフト１０２、１０４はこのガイド孔１１０を挿通してガイド孔１１０に沿って移動可能となっている。
【０００４】
金属シャフト１０２、１０４の端部には、アーム部材１１２が取付可能となっており、本体１０６の外側に配置される。アーム部材１１２には、金属シャフト１０２が挿通可能な切欠き部１１２Ａと、金属シャフト１０４を軸支する軸支部１１２Ｂと、アーム部材１１２の回転中心となる中心軸部１１２Ｃと、が設けられている。このため、蓋体１００を開放させると、金属シャフト１０２、１０４は中心軸部１１２Ｃを中心にガイド孔１１０に沿って移動する。
【０００５】
ここで、ガイド孔１１０にはガイド孔１１０から円弧状に分岐孔１１０Ａが形成されており、蓋体１００が閉止された状態では、金属シャフト１０４がガイド孔１１０の縁部に位置し、金属シャフト１０２が分岐孔１１０Ａの縁部に位置している。
【０００６】
蓋体１００を開放するとき、金属シャフト１０４を中心に、金属シャフト１０２がアーム部材１１２の切欠き部１１２Ａに沿って移動しながら分岐孔１１０Ａに沿って回転して、ガイド孔１１０に到達する。次に、中心軸部１１２Ｃを中心に金属シャフト１０２が、金属シャフト１０４と共にガイド孔１１０に沿って移動する。
【０００７】
このように、蓋体１００を開放するときの回転中心を途中で変えることによって、蓋体１００を本体１０６の背面に収めることができ、蓋体１００を開放したとき蓋体１００が邪魔にならないようにした。
【０００８】
しかし、本体１０６の保持部１０８には、ガイド孔１１０及び金属シャフト１０２、１０４が露出しており、美観が損なわれてしまう。また、ガイド孔１１０を摺動する金属シャフト１０２、１０４の摺動性を向上させるため、ガイド孔１１０にはグリースを塗布するが、グリースが本体１０６の内側面に付着して汚れる場合もある。
【０００９】
【発明が解決しようとする課題】
本発明は上記事実を考慮し、本体の内側面にガイド孔を設けなくても本体に蓋体が開閉可能に取り付けられる容器ホルダーを提供することを課題とする。
【００１０】
【課題を解決するための手段】
請求項１に記載の本発明は、容器を保持する箱体と、前記箱体の開口を閉じる開閉可能な蓋体と、を備えた容器ホルダーであって、前記箱体の外側面に設けられた凹部と、前記蓋体の両端部から延出した軸板と、前記軸板から内側へ向かって突設され、前記箱体の外側から前記凹部に回動可能に係合する係合突起と、を備え、前記係合突起が、前記軸板に所定の間隔を置いて設けられた２つのピンであって、前記凹部は屈曲されてく字状とされ、屈曲部から閉止された蓋体の自由端側の上方へ延びる第１ガイド部と、前記屈曲部から閉止された蓋体の自由端側の下方へ延びる第２ガイド部と、を備え、前記蓋体が閉止状態のとき、前記第１ガイド部の終端へ一方のピンが係合して、前記屈曲部へ他方のピンが係合しており、前記蓋体を所定角度回転させると、前記一方のピンを中心に前記他方のピンが前記屈曲部から前記第２ガイド部へ移動し、さらに前記蓋体を回転させると、前記一方のピンが前記第１ガイド部に沿って前記屈曲部へ移動すると共に、前記他方のピンが前記第２ガイド部に沿って第２ガイド部の終端へ移動して前記蓋体を前記箱体の背面に収めることを特徴としている。
請求項１に記載の発明では、容器を保持する箱体には、開口を閉じる蓋体が開閉可能に取り付けられている。この蓋体の両端部からは軸板が延出しており、この軸板からは係合突起が内側へ向かって突設している。一方、箱体の外側面には凹部が設けられており、箱体の外側から係合突起を凹部に回動可能に係合させる。
【００１１】
このように、箱体の外側面に凹部を設け、箱体の外側から係合突起を凹部に係合させることによって、従来のように、本体の内側面にガイド孔を設けなくてもよいので、美観が損なわれることはない。また、凹部内に係合突起の摺動性を向上させるためのグリースを塗布しても箱体の内側面が汚れることはない。
【００１２】
ここで、係合突起は、軸板に所定の間隔を置いて設けられた２つのピンである。一方、凹部をく字状に屈曲させている。凹部には、屈曲部から閉止された蓋体の自由端側の上方へ延びる第１ガイド部と、前記屈曲部から閉止された蓋体の自由端側の下方へ延びる第２ガイド部と、を備えており、第１ガイド部には一方のピンが係合し、第２ガイド部には他方のピンが係合する。前記蓋体が閉止状態のとき、第１ガイド部の終端へ一方のピンが係合して、屈曲部へ他方のピンが係合しており、蓋体を所定角度回転させると、一方のピン回りに他方のピンが屈曲部から第２ガイド部へ移動する。
【００１３】
そして、さらに蓋体を回転させると、一方のピンが第１ガイド部に沿って屈曲部へ移動すると共に、他方のピンが第２ガイド部に沿って第２ガイド部の終端へ移動して蓋体を箱体の背面に収める。
【００１４】
このように、蓋体を所定角度開放させた後で軸板の回転中心を変え、蓋体を箱体の背面に収めることができるため、開放された蓋体が邪魔になることはない。
【００１５】
請求項２に記載の発明は、請求項１に記載の容器ホルダーにおいて、前記軸板を押圧して前記蓋体を回転させるモーメントを発生させる付勢手段と、前記第２ガイド部に設けられ、前記他方のピンが頂部を乗り越えると前記付勢手段によって発生するモーメントの向きを変える変曲部と、を有することを特徴としている。
請求項２に記載の発明では、付勢手段によって軸板が押圧されることで、蓋体を回転させるモーメントを発生する。一方、第２ガイド部には変曲部が設けられており、他方のピンが頂部を乗り越えると付勢手段によって発生するモーメントの向きが変わる。
【００１６】
このため、他方のピンが変曲部を通過するとき、付勢手段によるモーメントによって蓋体が自動的に開放或いは閉止する。
【００１７】
請求項３に記載の発明は、請求項２に記載の容器ホルダーにおいて、前記付勢手段が、トーションバネであって、前記トーションバネの一端部が前記箱体の外側面に固定され、他端部が前記軸板に形成された被係止部に係止されることを特徴としている。
請求項３に記載の発明では、付勢手段がトーションバネであって、このトーションバネの一端部は、箱体の外側面に固定されており、他端部は軸板に形成されたスリットに係止されている。このように、トーションバネの他端側をスリットに係止させるだけなので、取付が容易である。
【００１８】
請求項４に記載の発明は、請求項１〜３の何れか１項に記載の容器ホルダーにおいて、前記軸板と前記係合突起とが一体成形されたことを特徴としている。
請求項４に記載の発明では、軸板と係合突起とを一体成形している。このため、従来と比較すると、部品点数が少なく、コストダウンを図ることができる。
【００１９】
請求項５に記載の発明は、請求項１〜４の何れか１項に記載の容器ホルダーにおいて、前記蓋体の裏面に回動可能に取り付けられ、倒したときに前記箱体に保持された容器の側面を支持する押え板と、起立して頂部を乗り越えた前記押え板を前記蓋体の裏面に当接した状態で固定する収納突起と、を有することを特徴としている。
請求項５に記載の発明では、蓋体の裏面には押え板が回動可能に取り付けられており、この押え板を倒すと箱体に保持された容器の側面が支持される。また、押え板は起立すると収納突起の頂部を乗り越え、蓋体の裏面に当接した状態で固定される。
【００２０】
このように、押え板は収納突起によって、使用しないときは蓋体の裏面に当接した状態で固定できるため、車両の振動によって押え板が振動することはない。また、押え板を固定するための固定部材などを必要としないため、部品点数の削減が図れる。
【００２１】
【発明の実施の形態】
図１及び図５には、本形態に係る容器ホルダー１０が示されている。容器ホルダー１０は車両の運転席と助手席との間に配置されたセンターコンソール１８に配置されており、センターコンソール１８に凹設された取付凹部２０内に収納可能となっている。
【００２２】
この取付凹部２０には、段部２２が設けられており、段部２２には位置決め穴２２Ａが形成され、容器ホルダー１０を構成する本体１２のフランジ部２４に設けられた突起部２６が挿入して本体１２の位置決めを行う。
【００２３】
また、図４に示すように、取付凹部２０の両側部には被係合部２０Ａが設けられており、本体１２の両側部に設けられた爪部２８が係合可能となっている。この爪部２８が被係合部２０Ａに係合された状態で、容器ホルダー１０が取付凹部２０に固定される。
【００２４】
ここで、図２に示すように、容器ホルダー１０は、本体１２と、蓋体１６とで構成されており、本体１２には保持部１４が設けられ、ペットボトル等外径寸法の大きい容器が保持可能となっている。この本体１２に蓋体１６が取り付けられ、保持部１４を開閉可能としている。
【００２５】
本体１２の内側面の長手方向中央には、内側へ向かって山形形状の受け部３０、３２が対向して設けられており、この受け部３０、３２によって、保持された容器が横転しないように支持される。
【００２６】
一方、図５に示すように、本体１２の外側面には、ガイド凹部３４が設けられている。このガイド凹部３４は略く字状を成しており、縁部３６Ａから屈曲部３７までのガイド部３６と、屈曲部３７から縁部３８Ａまでのガイド部３８と、に大別される。
【００２７】
また、蓋体１６の両端部からは、鉤状の軸板４０が延出している。この軸板４０の先端部４０Ａ及び屈曲部４０Ｂには、それぞれピン４２、４４が内側へ向かって突設している。
【００２８】
このため、軸板４０を撓ませ、本体１２の外側からピン４２、４４をガイド凹部３４に係合させる。これにより、ピン４２、４４はガイド凹部３４に沿って移動可能となり、ピン４２はガイド部３６内を移動し、ピン４４はガイド部３８内を移動することで、蓋体１６が保持部１４を開閉させる。
【００２９】
このように、本体１２の外側面にガイド凹部３４を設け、本体１２の外側からピン４２、４４をガイド凹部３４に係合させることによって、従来のように、本体の内側面にガイド孔を設けなくてもよいので、美観が損なわれることはない。
【００３０】
また、ガイド凹部３４内にピン４２、４４の摺動性を向上させるためのグリースを塗布しても本体１２の内側面が汚れることはない。さらに、軸板４０とピン４２、４４とを一体成形することで、従来と比較すると、部品点数が少なく、コストダウンを図ることができる。
【００３１】
一方、図６の実線で示すように、蓋体１６の閉止状態では、ピン４２がガイド部３６のＰ点に位置しており、蓋体１６を開放させるとき、ピン４２を中心としてピン４４がガイド部３８に沿ってＱ点からＲ点へ移動し、これにより、蓋体１６の後方を本体１２の下方側へ引き下げる（点線で示す）。
【００３２】
このように、蓋体１６が所定角度開放すると、ピン４２はガイド部３６に沿ってＰ点からＱ点へ向かって移動する。このピン４２の移動と共に、ピン４４はガイド部３８に沿ってＲ点からＳ点へ移動する。
【００３３】
これにより、一点鎖線で示すように、蓋体１６が本体１２の背面に収められる。このように、蓋体１６を所定角度開放させた後で軸板４０の回転中心を変え、蓋体１６を本体１２の背面に収めることができるため、開放された蓋体１６が邪魔になることはない。
【００３４】
また、ピン４２、４４がそれぞれ異なるガイド部３６、３８を移動することによって、回転中心を徐々に変えていくことが可能となり、蓋体１６の動きが従来よりもスムーズになる。
【００３５】
ここで、ガイド部３８は途中で円弧の中心が反転する緩やかな凹凸となっており、頂部となる部分が変曲部４６である。ピン４４がこの変曲部４６を乗り越えると、後述する付勢手段としてのトーションバネ４８が軸板４０を押圧することで発生する蓋体１６を回転させるためのモーメントの向きが変わる。このため、ピン４４が変曲部４６を通過するとき、トーションバネ４８による付勢力によって蓋体１６が自動的に開放或いは閉止する。
【００３６】
ところで、図３に示すように、本体１２の外側面には、ボス５０が突設されており、トーションバネ４８の一端部が係止可能となっている。このトーションバネ４８の一端部には、ボス５０の外径寸法よりも若干大きい内径寸法の環状部４８Ａが形成されている。
【００３７】
一方、ボス５０の先端部には、保持片５０Ａが張り出しており、この保持片５０Ａに環状部４８Ａを引っ掛けてボス５０に挿入するだけで、環状部４８Ａがボス５０に係止される。
【００３８】
また、トーションバネ４８の他端部には、鉤部４８Ｂが形成されており、軸板４０の先端部４０Ａと屈曲部４０Ｂの間に形成されたスリット５２（被係止部）に係止可能となっている。このとき、トーションバネ４８の付勢力によって、鉤部４８Ｂはスリット５２の奥方へ押し付けられ、スリット５２から外れないようにしている。
【００３９】
以上のような構成により、保持片５０Ａに環状部４８Ａを引っ掛けてボス５０に挿入して係止させた後、鉤部４８Ｂをスリット５２の形状に沿ってスライドさせるだけで鉤部４８Ｂが係止され、トーションバネ４８が軸板４０と本体１２とに取り付けられるため、トーションバネ４８の取付が容易である。
【００４０】
ここで、本体１２の外側面には、ガイド凹部３４のＲ地点（図６参照）からボス５０へ向かって、リブ５４が立設しており、軸板４０の移動によって伸縮するトーションバネ４８の鉤部４８Ｂがスリット５２から外れないように防止している。
【００４１】
また、トーションバネ４８をスリット５２に係止させた状態で、リブ５４の先端部とトーションバネ４８との間には隙間が設けられており、軸板４０の移動でトーションバネ４８がリブ５４を摺動して異音を発生させることがないようにしている。
【００４２】
一方、図２、図３及び図７（Ａ）、（Ｂ）に示すように、蓋体１６の裏面には、長手方向に一対の軸支部５６が設けられている。この軸支部５６には押え板５８の両端から突出したピン５８Ａが軸支されており、押え板５８が回動可能に取り付けられている。この押え板５８の自由端側には、２つの円弧状の支持部５９が形成されている。
【００４３】
ここで、前述したように、受け部３０、３２によって、保持された容器が横転しないように支持されるが、受け部３２の高さは、受け部３０よりも低くなっている。この受け部３２の高さに合わせて、本体１２の内側面の幅方向には、載置台６０が設けられている。
【００４４】
この受け部３２及び載置台６０によって、押え板５８を倒すと押え板５８が載置され、この状態で押え板５８は本体１２の底面と平行となり、保持部１４に保持された容器の側面が支持部５９によって支持される。
【００４５】
この支持部５９は受け部３２よりも内側へ張り出しており、ペットボトルなど、外径寸法の大きい容器の場合、受け部３０、３２によって支持されるが、外径寸法の小さい容器の場合は、押え板５８を倒した状態で、受け部３０と支持部５９によって支持される。
【００４６】
一方、軸支部５６には山形形状の収納突起６２が対向して形成されている。収納突起６２の頂部６２Ａ同士の離間距離は、押え板５８の長さよりも若干短くなっている。
【００４７】
また、押え板５８の両端の裏面には、面取り部５８Ｂが形成されており、押え板５８が収納突起６２の頂部６２Ａを乗り越えたとき、面取り部５８Ｂが収納突起６２の傾斜面６２Ｂに当接する。
【００４８】
このため、押え板５８を蓋体１６の裏面に当接させる（起立させる）とき、押え板５８の側面が収納突起６２を摺動して、頂部６２Ａを通過するとき軸支部５６を押し広げ、頂部６２Ａを乗り越える。
【００４９】
このとき、押し広げられた軸支部５６が復元して押え板５８を挟持すると共に、収納突起６２によって押え板５８は蓋体１６の裏面に当接した状態で固定される（図７（Ｂ）参照）。
【００５０】
このため、押え板５８を使用しないときは、収納突起６２によって押え板５８は蓋体１６の裏面に当接した状態で固定できるため、車両の振動によって押え板５８が振動することはない。また、押え板５８を固定するための固定部材などを必要としないため、部品点数の削減が図れる。
【００５１】
また、押え板５８が収納突起６２の頂部６２Ａを乗り越える前の状態では、押え板５８は収納突起６２によって倒れる方向へ付勢される。このため、容器の外径寸法が、受け部３０、３２で支持可能な大きさと支持部５９と受け部３０とで支持可能な大きさの間の大きさでも押え板５８の縁部を容器に当接させ、容器を支持することができる。このため、支持可能な容器の許容範囲が広い。
【００５２】
ところで、図１及び図４に示すように、蓋体１６の天面には、長手方向の中央部に緩やかな凸部１６Ａが設けられており、外周壁の長さが長くなっている。この外周壁には掛かり部１７が凹設されており、指が掛かり、閉止された蓋体１６を開放しやすく易くなっている。
【００５３】
一方、図２に示すように、本体１２のフランジ部２４には、クッション材収納部６３が突設されており、このクッション材収納部６３には、クッション材６４が収納されている。
【００５４】
このクッション材６４はトーションバネ４８によって発生するモーメントによって蓋体１６が閉止するとき、蓋体１６の裏面が本体１２に当接するときの衝撃を吸収すると共に、蓋体１６の内周壁に当接して蓋体１６を閉止させた状態で蓋体１６がズレないようにしている。
【００５５】
また、軸板４０の屈曲部４０Ｂには、スポンジ材６６が貼着されており、蓋体１６が閉止するときに、このスポンジ材６６がフランジ部２４に当接して蓋体１６が閉止するときの衝撃が吸収される。
【００５６】
このように、スポンジ材６６を介して軸板４０がフランジ部２４に当接することによって、蓋体１６が閉止するときにピン４４がＱ地点でガイド部３８の側壁に衝突するときの衝撃を緩和している。
【００５７】
さらに、本体１２の背面にもスポンジ材（図示省略）が貼着されている。このスポンジ材によって、蓋体１６が開放して蓋体１６が本体１２の背面に当接するときの衝撃が吸収される。
【００５８】
このように、スポンジ材６６及びクッション材６４を設けることによって、本体１２と蓋体１６或いは、軸板４０と本体１２とが当接するときの衝撃音も吸収される。
【００５９】
ここで、本体１２の前方側は切り下げられており、これに伴って、フランジ部２４の前方側が切り下げられている。フランジ部２４の後方側はガイド部３６の形状に沿って緩やかな曲線を描いており、切り下げられた部分が当接面６８となっている。
【００６０】
一方、蓋体１６の軸支部５６は蓋体１６の後方から前方へ架けて緩やかな傾斜面７０となっており、蓋体１６を閉止したときに、図６に示すように、傾斜面７０が当接面６８に当接する。これにより、蓋体１６が閉止した状態で蓋体１６のズレがないようにしている。
【００６１】
なお、本形態では、軸板４０にピン４２、４４を設け、それぞれガイド部３６とガイド部３８とに沿って移動可能としたが、本体の外側面を貫通するガイド孔を設けない構成であれば良いため、必ずしもピンがガイドに沿ってスライド可能である必要はなく、このため、ピンは一つでも良く、また、このピンが本体の外側面に設けられた凹部に回転可能に係合される構成でも良い。
【００６２】
また、本形態では、ガイド部３６とガイド部３８とを連設させたが、蓋体１６を開放させるときに、軸板４０の回転中心を変えて蓋体１６が邪魔にならないようにできれば良いため、ガイド部３６とガイド部３８とを必ずしも連設させる必要はない。
【００６３】
さらに、被係止部として軸板４０の先端部４０Ａと屈曲部４０Ｂの間にスリット５２を形成したが、トーションバネ４８の取り付けが容易であれば良いため、これに限るものではない。
【００６４】
例えば、スリット５２の変わりに軸板に孔部を形成しても良い。また、軸板にピン等を設けて、トーションバネを引っ掛けるようにしても良い。但し、この場合、鉤部の形状も引っ掛かり易いように変える必要が生じる。
【００６５】
【発明の効果】
本発明は、上記構成としたので、請求項１に記載の発明では、従来のように、容器を保持する保持部にガイド孔を設けなくてもよいので、美観が損なわれることはない。また、凹部内に係合突起の摺動性を向上させるためのグリースを塗布しても箱体の内側面が汚れることはない。
【００６６】
また、蓋体を所定角度開放させた後で軸板の回転中心を変えながら、蓋体を箱体の背面に収めることができるため、開放された蓋体が邪魔になることはない。
【００６７】
請求項２に記載の発明では、他方のピンが変曲部を通過するとき、付勢手段によるモーメントによって蓋体が自動的に開放或いは閉止する。請求項３に記載の発明では、トーションバネの他端側を軸板の被係止部に係止させるだけなので、取付が容易である。請求項４に記載の発明では、部品点数が少なく、コストダウンを図ることができる。
【００６８】
請求項５に記載の発明では、押え板は収納突起によって、使用しないときは蓋体の裏面に当接した状態で固定できるため、車両の振動によって押え板が振動することはない。また、押え板を固定するための固定部材などを必要としないため、部品点数の削減が図れる。
【図面の簡単な説明】
【図１】本形態に係る容器ホルダーをセンターコンソールに配設した状態を示す斜視図である。
【図２】本形態に係る容器ホルダーに設けられた押え板を起立させた状態を示す斜視図である。
【図３】本形態に係る容器ホルダーに設けられた押え板を倒した状態を示す斜視図である。
【図４】本形態に係る容器ホルダーをセンターコンソールの取付凹部に固定した状態を示す説明図である。
【図５】本形態に係る容器ホルダーの蓋体を開放又は閉止させるときの移動状態を示す説明図である。
【図６】本形態に係る容器ホルダーの蓋体を開放又は閉止させるときの移動状態を示す説明図である。
【図７】本形態に係る容器ホルダーの蓋体に設けられた押え板を示す概略平面図であり、（Ａ）は、押え板を倒した状態を示し、（Ｂ）は押え板を起立させた状態を示している。
【図８】従来の容器ホルダーを示す斜視図である。
【符号の説明】
１０   容器ホルダー
１２   本体（箱体）
１６   蓋体
３４   ガイド凹部（凹部）
３６   ガイド部（第１ガイド部）
３８   ガイド部（第２ガイド部）
４０   軸板
４２   ピン（係合突起）
４４   ピン（係合突起）
４６   変曲部
４８   トーションバネ（付勢手段）
５２   スリット（被係止部）
５８   押え板
６２   収納突起
【図１】
0004375891.tif 000002
【図２】
0004375891.tif 000003
【図３】
0004375891.tif 000004
【図４】
0004375891.tif 000005
【図５】
0004375891.tif 000006
【図６】
0004375891.tif 000007
【図７】
0004375891.tif 000008
【図８】
0004375891.tif 000009